(57)【要約】【課題】  ガスタンクを備えた本体部に対し、棒状に延び先端に火炎口を有する炎口棒部の指向方向を変更可能とし、着火点に向けて指向させて着火操作性を向上する。【解決手段】  燃料となる液化ガスを貯蔵するガスタンク５を備えた本体部２と、該本体部２から棒状に延び先端にガス炎を噴出する火炎口３１を有する炎口棒部３とを備えてなり、本体部２は異なる方向を指向する複数の保持部４１〜４３を備え、この保持部に炎口棒部３を選択的に保持して火炎口３１の向きを変更する。各保持部４１〜４３を連結し、方向を変更する炎口棒部３に接続されたガスパイプ１２の移動を許容する連結溝４４を備えるのが好ましい。【選択図】          図１
2005140437.tif 000002
【特許請求の範囲】
【請求項１】
燃料となる液化ガスを貯蔵するガスタンクを備えた本体部と、該本体部から棒状に延び先端にガス炎を噴出する火炎口を有する炎口棒部とを備えてなる着火器具において、
前記本体部は異なる方向を指向する複数の保持部を備え、該保持部に前記炎口棒部を選択的に保持して前記火炎口の向きを変更することを特徴とする着火器具。
【請求項２】
前記本体部は、前記保持部を連結し、前記炎口棒部の保持位置を変更する際に、該炎口棒部に接続されたガスパイプの移動を許容する連結溝を備えたことを特徴とする請求項１に記載の着火器具。
【請求項３】
前記ガスパイプがフレキシブルで変形可能にかつフリーに配設されてなることを特徴とする請求項２に記載の着火器具。
【請求項４】
前記本体部は、互いに連通した異なる方向を指向する複数の保持部を備え、前記炎口棒部は該保持部を摺動して異なる方向の保持部に係合保持されて前記火炎口の向きを変更することを特徴とする請求項１または３に記載の着火器具。
【発明の詳細な説明】
【技術分野】
【０００１】
本発明は、本体部の点火操作によって本体部から延びた炎口棒部の先端火炎口からガス炎を噴出する点火棒として知られる着火器具に関し、特にその火炎口の方向を変更する構造に関するものである。
【背景技術】
【０００２】
従来より、燃料の液化ガスを貯蔵するガスタンクを備えた本体部から炎口棒部を延ばし、この炎口棒部を構成する先端パイプの先端部に設けた火炎口よりガス炎を噴出するようにして、着火位置と点火操作位置との距離を長くして着火が容易に行えるようにした着火器具が市販され、普及している。
【０００３】
そして、その炎口棒部における先端パイプの一部を可撓性部材で形成して火炎口の向きを変えられるようにして、屈曲した部分に対しても先端パイプを挿入可能として着火が行えるようにしたガス着火器が提案されている（例えば、特許文献１参照）。
【特許文献１】特開平９−１３３３５９号公報
【発明の開示】
【発明が解決しようとする課題】
【０００４】
ところで、上記のような着火器具は炎口棒部の先端パイプがスプリングのような可撓性部材で構成されているため、挿入経路の壁面等に接触してその形状を変更するものであって、当てる壁面等がなく、最初の挿入方向が本体部を持って行うことが困難な場合には操作性に難点がある。
【０００５】
つまり、着火器具の炎口棒部が剛体で本体部に直線状に接続された従来着火器具の場合には、ガス器具の着火口等を通しての着火操作の際に、無理な操作姿勢となって着火困難となる場合や、着火口の直線延長上に壁その他の障害物が存在して、正規の着火位置に先端部を挿入できずに良好な着火性が得られない場合がある。このような点に対し、特許文献１のように炎口棒部の先端パイプを可撓性部材で構成すると、着火口等の壁面に先端部が接触して先端パイプが挿入経路に沿って変形し、着火点に挿入可能となるが、前述のように接触壁面がない場合には着火点方向には変形せずに着火点に接近できない点があるとともに、先端部が壁面に擦れて汚れが付着し着火性が低下するなどの問題がある。
【０００６】
そこで本発明は上記事情に鑑み、本体部に対する炎口棒部の指向方向を変更可能として着火点に向けて指向させて着火性を向上するようにした着火器具を提供することを目的とするものである。
【課題を解決するための手段】
【０００７】
本発明の着火器具は、燃料となる液化ガスを貯蔵するガスタンクを備えた本体部と、該本体部から棒状に延び先端にガス炎を噴出する火炎口を有する炎口棒部とを備えてなる着火器具において、前記本体部は異なる方向を指向する複数の保持部を備え、該保持部に前記炎口棒部を選択的に保持して前記火炎口の向きを変更することを特徴とするものである。
【０００８】
前記本体部は、前記保持部を連結し、前記炎口棒部の保持位置を変更する際に、該炎口棒部に接続されたガスパイプの移動を許容する連結溝を備えることが好適である。
【０００９】
前記ガスパイプがフレキシブルで変形可能にかつフリーに配設されてなるものが好ましい。
【００１０】
前記炎口棒部を保持部への挿入保持方向に付勢する付勢部材を備えたことを特徴とする。
【００１１】
前記本体部は、互いに連通した異なる方向を指向する複数の保持部を備え、前記炎口棒部は該保持部を摺動して異なる方向の保持部に係合保持されて前記火炎口の向きを変更するように構成してもよい。
【発明の効果】
【００１２】
以上のような本発明の着火器具によれば、ガスタンクを備えた本体部の異なる方向を指向する複数の保持部に、先端に火炎口を有する炎口棒部を選択的に保持して火炎口の向きを変更するようにしたことにより、炎口棒部の指向方向が変更可能で複雑な壁面角や隙間に炎口棒部を容易に挿入できて、本体部を持った手が壁面に擦れたりすることなく持ちやすい角度で本体部を持って操作でき、先端火炎口を着火点に接近させて良好な着火が行える。
【００１３】
また、全長が長い製品が、炎口棒部を本体部より引き抜いた状態もしくは大きく屈曲した状態に保持した際には、全長の短縮が可能となり、コンパクト状にすることができて、収納、持ち運びが容易となる。
【００１４】
本体部とは別に炎口棒部の向きを変えられるために、着火した際にガス炎が指や手、操作する本体部に当たらないようにすることができる。
【発明を実施するための最良の形態】
【００１５】
以下、本発明の各実施の形態を詳細に説明する。
【００１６】
＜第１の実施の形態＞
図１は第１の実施形態にかかる着火器具の全体構成を示す断面側面図、図２は正面図である。
【００１７】
本実施形態の着火器具１は、本体部２と該本体部２から棒状に延びた炎口棒部３とを備えてなる。本体部２は、全体の外郭が左右に分割形成されたケース４で覆われ、該ケース４の後部側の内部には液化ガスを貯留したガスタンク５が設置されている。このガスタンク５は、タンク本体５ａにタンク上蓋５ｂが結合されてなり、そのタンク上蓋５ｂにはガスの供給を開閉するバルブ機構６を備えている。
【００１８】
また、ケース４の中間部の窓部内には、前後にスライド自在に着火レバー７が配設され、該着火レバー７の後部に前記ガスタンク５との間に、着火レバー７の後退作動に伴って放電電圧を給電する圧電ユニット８が設置されている。また、上記着火レバー７の後部側には、その後退作動に伴って揺動する連係レバー９を備え、該連係レバー９によって前記バルブ機構６を開作動してガスの送給を行うように連係されている。
【００１９】
さらに、本体部２におけるケース４の前端部には、異なる方向を指向する複数（３つ）の保持部４１〜４３を備えている。各保持部４１〜４３は筒状で、炎口棒部３の基部が選択的に挿入保持できるようになっている。中央部の保持部４２は本体部２の中心方向を指向し、上方の保持部４１は中心線より上向きに例えば３０゜の角度を持って指向し、下方の保持部４３は中心線より下向きに例えば３０゜の角度を持って指向している。この各保持部４１〜４３の間には、後述のガスパイプ１２および導線１３，１４が挿通移動可能な連結溝４４（図２参照）が形成されている。なお、図２においては、上下の保持部４１，４３の内部構造の表示は省略している。
【００２０】
前記炎口棒部３は棒状で先端にガス炎が通る火炎口３１を備え、その外郭部分は例えば金属筒体による先端パイプ３２によって構成される。この炎口棒部３の基部すなわち先端パイプ３２の後端部は、前述の本体部２の保持部４１〜４３に挿入保持されるもので、その外径が保持部の内径と合致しており、挿入することによって嵌合保持される。
【００２１】
上記先端パイプ３２の内部には、プラスチック材料によるインナーパイプ３３が配設され、その先端部にはガスを噴出する噴出ノズル１１を備えている。この噴出ノズル１１の後端部には、前述のバルブ機構６からガスを送給するガスパイプ１２の先端部が嵌合されている。インナーパイプ３３の先端部には、絶縁材によるノズルカバー３４が配設され、その先端部の先端パイプ３２には筒体の一部が中心側に折曲形成された放電電極３５を備えている。
【００２２】
前記噴出ノズル１１の後端に接続されたガスパイプ１２は、先端パイプ３２の内部を後方に延びて、その後端部はバルブ機構６に接続されるものであるが、その途中部分は保持部４１〜４３より炎口棒部３を引き抜く際の移動が可能なようにフレキシブルで変形可能でかつフリーに形成されている。例えば、詳細は図示してないが、ガスパイプ１２の長さを長くするか、伸縮可能な素材で構成するか、コイル状に巻いて構成される。また、このガスパイプ１２をスプリング状に弾性力を備えたもので構成し、炎口棒部３を引っ張り、保持部４１〜４３に嵌合するように付勢するようにしてもよい。
【００２３】
つまり、上記ガスパイプ１２および導線１３，１４は、炎口棒部３の角度変更に伴ってガス噴出および通電が阻害されることがないと共に、炎口棒部３の指向方向の変更がガスパイプ１２および導線１３，１４によって阻害されずに行えるようになっている。
【００２４】
さらに先端パイプ３２の内部には可撓性の被覆導線１３が嵌挿され、その一端は噴出ノズル１１に接続され、他端は前記圧電ユニット８の一方の電極に接続される。また、先端パイプ３２の内部に挿入されたインナーパイプ３３の後端部には開口が設けられて先端パイプ３２の内面が臨み、その部分に他の被覆導線１４の一端が接続され、他端は圧電ユニット８の他方の電極に接続される。これにより、導電性材料による先端パイプ３２の放電電極３５に電気的に接続され、噴出ノズル１１との間に放電が得られるようにしている。
【００２５】
そして、前記炎口棒部３の基部は本体部２に付けられた溝状の保持部４１〜４３に嵌挿するようになっていて、様々な方向に保持部４１〜４３を設けることによって、多方向に装着して先端火炎口３１の方向が変えられる。図１の場合より方向を変える際には、炎口棒部３の基部を中央の保持部４２より引き抜き、上方の保持部４１または下方の保持部４３に差し込むものであり、その際この炎口棒部３に接続されているガスパイプ１２および導線１３，１４は、連結溝４４を通って移動する。
【００２６】
本体部２に対して炎口棒部３の角度が変更できることにより、本体部２を把持し、例えば、ストーブ、キッチン器具等の燃焼器具の点火等において、もしくは炭、薪などの被着火物への着火を行う際に、着火点への挿入経路への挿入操作が行いやすくなる。
【００２７】
なお、保持部４１〜４３に装着された炎口棒部３の基部は、フック止めやネジ締めによって保持強度を調整するようにしてもよい。
【００２８】
＜第２の実施の形態＞
この実施の形態を図３〜図５に示し、図３は概略構造を示す側面図、図４はその正面図、図５は一部除去して内部構造を示す側面図である。
【００２９】
本実施形態の着火器具１００は、本体部１０２と該本体部１０２から棒状に延びた炎口棒部１０３とを備えてなる。本体部１０２は、タンク部ケース１０４と保持部ケース１４０を備えてなる。タンク部ケース１０４には、図示してないが、液化ガスを貯留したガスタンク、ガスの供給を開閉するバルブ機構、圧電ユニットなどが第１の実施の形態と同様に設置され、押し込み式に設置された着火レバー１０７の操作に伴ってガスの噴出および点火が行われるようになっている。
【００３０】
保持部ケース１４０は円形状であり、左右に分割形成された間に放射方向に指向する９個の保持部１４１が設置されている。この保持部１４１は円筒穴で構成され、各保持部１４１は３０度ずつ角度が異なる方向を指向している。
【００３１】
各保持部１４１に炎口棒部１０３の基部が選択的に挿入保持できるようになっている。各保持部１４１の間には、前例と同様に、ガスパイプ１１２および不図示の導線が挿通移動可能な連結溝１４４（図４参照）が形成されるとともに、タンク部ケース１０４と接続される保持部ケース１４０の部位にはガスパイプ１１２などを挿通する開口１４２を備えている。
【００３２】
前記炎口棒部１０３は棒状で先端に噴出ノズル１１１より噴出されたガス炎が通る火炎口１３１を備え、この炎口棒部１０３の基部が前述の保持部１４１に挿入保持されるもので、両者の結合にはフック結合またはねじ結合を採用し、結合力を確保する。また、噴出ノズル１１１に一端が接続されたガスパイプ１１２の他端はタンク部ケース１０４内でバルブ機構に接続されるものであるが、その途中部分は前例と同様に、保持部１４１より炎口棒部１０３を引き抜く際の移動が可能なようにフレキシブルで変形可能でかつフリーに形成されている。
【００３３】
そして、前記炎口棒部１０３の基部は本体部１０２に付けられた異なる方向を指向する保持部１４１に選択的に装着されて、先端火炎口１３１の方向が変更でき、着火操作性の向上が図れる。
【００３４】
また、炎口棒部３を保持部１４１から完全に引き抜かないで角度変更する構造として、連結溝１４４の外周部位を炎口棒部１０３と同じ幅に開口させて可動できる構造とし、内周部での固定構造は、ネジやフック溝を設けて固定するようにしてもよい。
【００３５】
＜第３の実施の形態＞
この実施の形態を図６、図７に示し、図６は概略構造を示す側面図、図７はその正面図である。
【００３６】
本実施形態の着火器具２００は、本体部２０２と該本体部２０２から棒状に延びた炎口棒部２０３とを備えてなる。本体部２０２は、タンク部ケース２０４と保持部ケース２４０を備えてなる。タンク部ケース２０４には、図示してないが、液化ガスを貯留したガスタンク、ガスの供給を開閉するバルブ機構、圧電ユニットなどが第１の実施の形態と同様に設置され、押し込み式に設置された着火レバー２０７の操作に伴ってガスの噴出および点火が行われるようになっている。
【００３７】
保持部ケース２４０は円形状であり、中心線方向とこれと直交する方向とに向けて炎口棒部２０３を保持する保持部２４１が設置されている。この保持部２４１は炎口棒部２０３が移動する縦溝２４２と、炎口棒部２０３に設置された突起２３２が摺動するクランク型のガイド溝２４３を備える。ガイド溝２４３は実線で示す中心線方向に炎口棒部２０３を保持した状態から、炎口棒部２０３が引き抜かれ、突起２３２がガイド溝２４３の屈曲部位に移動することによって、直交方向に指向する。その他は際２の実施形態と同様である。
【００３８】
そして、前記炎口棒部２０３の基部は本体部２０２に付けられた異なる方向を指向する保持部２４１に選択的に保持されて、先端火炎口２３１の方向を変えられ、着火操作性の向上が図れる。
【図面の簡単な説明】
【００３９】
【図１】本発明の第１の実施形態にかかる着火器具の全体構成を示す断面側面図
【図２】図１の正面図
【図３】本発明の第２の実施形態にかかる着火器具の概略構造を示す側面図
【図４】図３の正面図
【図５】図３の一部除去して内部構造を示す側面図
【図６】本発明の第３の実施形態にかかる着火器具の概略構造を示す側面図
【図７】図６の正面図
【符号の説明】
【００４０】
１,100,200    着火器具
２,102,202    本体部
３,103,203    炎口棒部
４    ケース
５    ガスタンク
６    バルブ機構
７,107,207    着火レバー
11,111    噴出ノズル
12,112    ガスパイプ
13,14     導線
31,131,231    火炎口
32    先端パイプ
41〜43    保持部
44,144    連結溝
141,241   保持部
243   ガイド溝
【図１】
2005140437.tif 000003
【図２】
2005140437.tif 000004
【図３】
2005140437.tif 000005
【図４】
2005140437.tif 000006
【図５】
2005140437.tif 000007
【図６】
2005140437.tif 000008
【図７】
2005140437.tif 000009